(57)【要約】      （修正有）【課題】バックボードが木材により製造され、熱膨張冷縮により変形し、損壊しやすく、ボールの衝撃による大きい騒音、単調で視覚効果がないバックボードを提供する。【解決手段】発光バックボードは、第一板体、第二板体、ランプ、及び、ランプ反射器からなる。第一板体と第二板体は透明のアクリル材質により生成され、第一板体上に照準枠を有し、第一板体の周囲は複数の固定孔を有し、第二板体は粗雑霧化する。第二板体の周囲は複数の固定孔を有する。ランプはランプ反射器内に設置され、ランプ反射器は螺固素子によりランプと、第一、及び、第二板体の周囲に鎖固される。第一板体と第二板体はアクリルにより製作され、温度の高低による変形が生じにくく、バスケットボールがバックボードに衝突する時、アクリル材質の硬度、及び、密度が高く、音の伝導係数が小さいので、騒音を生じにくい。【選択図】図２
0003136892.tif 000002
【実用新案登録請求の範囲】
【請求項１】
発光バックボードであって、少なくとも
透明のアクリル材質により生成され、照準枠、及び、複数の固定孔を有する第一板体と、
透明のアクリル材質により生成され、表面が粗雑化され、周囲に、前記第一板体の固定孔二対応する固定孔を有する第二板体と、
複数の穿孔を有し、前記第一、第二板体を包覆する複数のランプ反射器と、
からなり、
螺固素子により前記ランプ反射器の穿孔、及び、前記第一、第二板体の固定孔を穿過した後、ナットにより鎖固されることを特徴とする発光バックボード。
【請求項２】
前記第一板体は凹槽を設置することを特徴とする請求項１に記載の発光バックボード。
【請求項３】
前記ランプは冷陰極管ランプであることを特徴とする請求項１に記載の発光バックボード。
【請求項４】
前記ランプは発光ダイオードであることを特徴とする請求項１に記載の発光バックボード。
【考案の詳細な説明】
【技術分野】
【０００１】
本考案は発光バックボードに関し、詳細には、アクリル材質により製作し、発光するバックボードに関する。
【背景技術】
【０００２】
バスケットボールは人気のあるスポーツで、バスケットをするにはバスケット場が必要ので、場所の制限を受けるため、多くの場所では、壁にバスケットゴールを取り付け、可動空間でバスケットを楽しむことが出来、バスケットゴールは多様で変化に富んだものになっている。
【０００３】
早期のバスケットゴールは、図１で示されるように、バックボード１は木製で、バックボード１の表面に、白色の表面層を塗り、周囲はフレーム線１１を有する。バックボード1の中央は、赤色の照準枠１２がある。バックボード１は廉価で、幅広く応用されているが、公知のバックボード１は以下のような欠点がある。
【０００４】
１．         
木製のバックボード１は長期使用下で、摩損や湾曲が生じ、且つ、バックボード１は温度の高低により熱膨張冷縮が生じやすく、木板は亀裂現象が生じて損壊する。
２．         
公知のバックボード１の木材の硬度と密度が低く、バスケットをする時、バックボード１はバスケットボールによる衝撃を受けるので、騒音が大きい。
３．         
バックボード１が様式が単調で、変化に乏しく、視覚効果がない。
【考案の開示】
【考案が解決しようとする課題】
【０００５】
本考案の目的は、バックボードが木材により製造され、熱膨張冷縮により変形し、損壊しやすく、ボールの衝撃による大きい騒音、単調で視覚効果がない等の公知の問題を改善するバックボードを提供することにある。
【課題を解決するための手段】
【０００６】
本考案の発光バックボードは、第一板体、第二板体、ランプ、及び、ランプ反射器を有する。第一板体と第二板体は透明のアクリル材質により生成され、第一板体上に照準枠を有し、第一板体の周囲は複数の固定孔を有し、第二板体は粗雑霧化する。第二板体の周囲は複数の固定孔を有する。ランプはランプ反射器内に設置され、ランプ反射器は螺固素子によりランプと、第一、及び、第二板体の周囲に鎖固される。
【考案の効果】
【０００７】
本考案は、第一板体と第二板体がアクリルにより製作され、温度の高低による変形が生じにくく、バスケットボールがバックボードに衝突する時、アクリル材質の硬度、及び、密度が高く、音の伝導係数が小さいので、騒音を生じにくい。この他、バックボードの周囲にランプとランプ反射器を有するので、バックボードの使用時、ランプ効果の変化を有し、バックボードの外観性と商品性を向上させる。
【考案を実施するための最良の形態】
【０００８】
図２で示されるように、本考案の発光バックボード２は、少なくとも一つの第一板体２１、第二板体２２、複数のランプ２３、及び、複数のランプ反射器２４、からなる。
【０００９】
第一板体２１は、透明のアクリル材質により生成され、第一板体２１上に照準枠２１１、及び、複数の固定孔２１２を有し、照準枠２１１は第一板体２１上に凹槽を設置し、凹槽上に有色テープを貼る。
【００１０】
第二板体２２は、透明のアクリルにより製作され、第二板体２２の表面は粗雑化され、第二板体２２の周囲は、第一板体２１の固定孔２１２に相対する固定孔２２１を有する。
【００１１】
ランプ２３は、第一板体２１と第二板体２２の周囲に設置され、ランプ２３は冷陰極管ランプ、或いは、発光ダイオードである。
【００１２】
ランプ反射器２４は、門構え型の板体で、ランプ反射器２４はランプ２３を包覆し、ランプ反射器２４上に複数の第一、第二板体２１、２２の固定孔２１２、２２１に対応する穿孔２４１を有し、ランプ反射孔２４は反光材質からなるか、或いは、内層に反射剤を塗布している。
【００１３】
図３で示されるように、バックボード２を組み合わせる時、第一板体２１、及び、第二板体２２を貼合し、ランプ２３を第一板体２１と第二板体２２の四周側辺に設置し、ランプ反射器２４は第一板体２１、第二板体２２、及び、ランプ２３を包覆して、螺固素子Sによりランプ反射器２４の穿孔２４１、及び、第一、第二板体２１、２２の固定孔２１２、２２１を穿過後、鎖固する。
【００１４】
バックボード２の応用時、図４で示されるように、バックボード２の中央下方にバスケット３を鎖設し、ランプ２３が通電した後、バックボード２は透明状の第一板体２１、及び、第二板体２２により、ランプ２３の光源を第一、第二板体２１、２２中に導入し、第二板体２２上の表面は粗雑化処理されているので、光源は均一化される。また、ランプ２３が発光ダイオードにより実施される時、異なる発光色の発光ダイオードランプを設置し、これにより、バックボード２は異なるランプ色の変化を呈現する。
【００１５】
本考案は、第一板体２１と第二板体２２がアクリルにより形成されるので、温度の高低による変形が生じにくく、バスケットボールがバックボードに衝突する時、アクリル材質の硬度と密度が高く、音の伝達係数も小さいので、音量を低下させる効果がある。この他、バックボード２の周囲はランプ２３、及び、ランプ反射器２４を設置し、バックボード２の使用時、ランプ効果の変化を有し、バックボード２の外観性と商品性を向上させる。
【図面の簡単な説明】
【００１６】
【図１】公知のバックボードの立体図である。
【図２】本考案のバックボードの立体分解図である。
【図３】本考案のバックボードの組み合わせ断面図である。
【図４】本考案のバックボードの組み合わせ立体図である。
【符号の説明】
【００１７】
１  バックボード
１１  フレーム線
１２  照準枠
２  バックボード
２１  第一板体
２１１  照準枠
２１２  固定孔
２２  第二板体
２２１  固定孔
２３  ランプ
２４  ランプ反射器
３  バスケット
【図１】
0003136892.tif 000003
【図２】
0003136892.tif 000004
【図３】
0003136892.tif 000005
【図４】
0003136892.tif 000006